【手続補正書】
【提出日】平成27年2月23日(2015.2.23)
【手続補正１】
【補正対象書類名】特許請求の範囲
【補正対象項目名】全文
【補正方法】変更
【補正の内容】
【特許請求の範囲】
【請求項１】
第１の時刻情報を保持する第１の外部装置および第２の時刻情報を保持する第２の外部装置と通信することができる情報処理装置であって、
第３の時刻情報を保持する手段と、
前記第１の外部装置から前記第１の時刻情報を受信する受信手段と、
前記受信手段により受信される前記第１の時刻情報に基づき、定期的に前記第３の時刻情報を調整する時刻調整手段と、
ユーザの指示を受け付ける操作手段と、
前記操作手段により前記所定の指示が受け付けられた場合、前記第２の外部装置と通信して、前記第２の時刻情報と前記第３の時刻情報とを同期させる時刻同期手段と、
前記操作手段により所定の指示が受け付けられた場合、前記時刻調整手段により前記第３の時刻情報が調整される可能性があることを、ユーザに通知する通知手段有することを特徴とする情報処理装置。
【請求項２】
前記第１の外部装置と前記情報処理装置とが接続されていない場合、前記通知手段は、ユーザへの通知を行わないことを特徴とする請求項１に記載の情報処理装置。
【請求項３】
前記操作手段は更に、前記前記第３の時刻に基づき前記第２の時刻を調整するための処理を行うことで前記第３の時刻と前記第２の時刻とを同期させるか、前記第２の時刻に基づき前記第３の時刻を調整するための処理を行うことで前記第３の時刻と前記第２の時刻とを同期させるかを選択する指示を受け付けることを特徴とする請求項１または２に記載の情報処理装置。
【請求項４】
前記時刻同期手段が、前記第３の時刻に基づき前記第２の時刻を調整するための処理を行うことで前記第３の時刻と前記第２の時刻とを同期させる場合、前記時刻調整手段は、前記時刻同期手段により前記第３の時刻と前記第２の時刻とが同期される前に、前記第３の時刻を調整することを特徴とする請求項１乃至３のいずれか１項に記載の情報処理装置。
【請求項５】
前記第１の外部装置と前記情報処理装置が接続されている状態で前記所定の指示が受け付けられた場合、前記時刻同期手段は、前記第３の時刻に基づき前記第２の時刻を調整するための処理を行うことで前記第３の時刻と前記第２の時刻とを同期させることを特徴とする請求項１乃至４のいずれか１項に記載の情報処理装置。
【請求項６】
前記時刻調整手段による時刻情報の調整の有効、無効を設定する設定手段をさらに有し、
前記設定手段により、前記時刻調整手段による時刻情報の調整が無効に設定されている場合、前記通知手段は、ユーザへの通知を行わないことを特徴とする請求項１乃至５のいずれか１項に記載の情報処理装置。
【請求項７】
前記時刻同期手段による時刻の同期を行う場合、前記設定手段は、前記時刻調整手段による時刻情報の調整を無効にすることを特徴とする請求項６に記載の情報処理装置。
【請求項８】
前記設定手段により、前記時刻調整手段による時刻情報の調整が有効に設定されたことに応じて、前記通知手段は、前記時刻同期手段により同期される時刻情報が調整される可能性があることを、ユーザに通知することを特徴とする請求項６に記載の情報処理装置。
【請求項９】
前記第１の外部装置は、ＧＰＳ衛星、携帯電話の基地局、標準電波局のうち、いずれかであることを特徴とする請求項１乃至８のいずれか１項に記載の情報処理装置。
【請求項１０】
前記第２の外部装置はカメラであることを特徴とする請求項１乃至９のいずれか１項に記載の情報処理装置。
【請求項１１】
被写体を撮像して画像を生成する撮像手段を更に有し、
前記撮像手段により生成された画像には前記第３の時刻情報が撮影時刻として関連付けられることを特徴とする請求項１乃至１０のいずれか１項に記載の情報処理装置。
【請求項１２】
第１の時刻情報を保持する第１の外部装置および第２の時刻情報を保持する第２の外部装置と通信することができる情報処理装置の制御方法であって、
第３の時刻情報を保持する工程と、
前記第１の外部装置から前記第１の時刻情報を受信する工程と、
前記受信される前記第１の時刻情報に基づき、定期的に前記第３の時刻情報を調整する工程と、
ユーザの指示を受け付ける工程と、
前記操作で所定の指示が受け付けられた場合、前記第２の外部装置と通信して、前記第２の時刻情報と前記第３の時刻情報とを同期させる工程と、
前記操作で前記所定の指示が受け付けられた場合、前記時刻調整手段により前記第３の時刻情報が調整される可能性があることを、ユーザに通知する工程とを有する情報処理装置の制御方法。
【請求項１３】
コンピュータを請求項１乃至１１のいずれか１項に記載の情報処理装置として動作させるためのプログラム。
【手続補正２】
【補正対象書類名】明細書
【補正対象項目名】０００６
【補正方法】変更
【補正の内容】
【０００６】
上記の課題を解決するために、本発明の情報処理装置は、第１の時刻情報を保持する第１の外部装置および第２の時刻情報を保持する第２の外部装置と通信することができる情報処理装置であって、第３の時刻情報を保持する手段と、前記第１の外部装置から前記第１の時刻情報を受信する受信手段と、前記受信手段により受信される前記第１の時刻情報に基づき、定期的に前記第３の時刻情報を調整する時刻調整手段と、ユーザの指示を受け付ける操作手段と、前記操作手段により前記所定の指示が受け付けられた場合、前記第２の外部装置と通信して、前記第２の時刻情報と前記第３の時刻情報とを同期させる時刻同期手段と、前記操作手段により所定の指示が受け付けられた場合、前記時刻調整手段により前記第３の時刻情報が調整される可能性があることを、ユーザに通知する通知手段有することを特徴とする。
【手続補正３】
【補正対象書類名】明細書
【補正対象項目名】００１２
【補正方法】変更
【補正の内容】
【００１２】
情報処理装置１００は、情報処理装置４００および情報処理装置５００と、ネットワーク２００を介して接続されている。情報処理装置４００および情報処理装置５００は第２の外部装置の一例である。本実施形態では、ネットワーク２００として、無線ＬＡＮを用いる例について述べる。なお、ネットワーク２００に用いることができるネットワークは無線ＬＡＮに限られない。例えば、ネットワーク２００には、赤外線通信を用いたネットワークや、Ｂｌｕｅｔｏｏｔｈ（登録商標）を用いたネットワークを用いてもよい。あるいは、他の有線のネットワークを用いても良い。
【手続補正４】
【補正対象書類名】明細書
【補正対象項目名】００１３
【補正方法】変更
【補正の内容】
【００１３】
情報処理装置１００は外部時計装置３００と接続されている。外部時計装置３００は第１の外部装置の一例である。情報処理装置１００と外部時計装置３００とは有線で接続されてもよいし、無線で接続されてもよい。あるいは、外部時計装置３００は情報処理装置１００に内蔵されていてもよい。本実施形態では、外部時計装置３００が情報処理装置１００に有線で接続されている場合について説明する。
【手続補正５】
【補正対象書類名】明細書
【補正対象項目名】００２５
【補正方法】変更
【補正の内容】
【００２５】
また情報処理装置４００および情報処理装置５００は情報処理装置１００と同様の構成である。情報処理装置４００および情報処理装置５００の時刻情報は、第２の時刻情報の一例である。
【手続補正６】
【補正対象書類名】明細書
【補正対象項目名】００３１
【補正方法】変更
【補正の内容】
【００３１】
時刻情報受信部３０８はＧＰＳ衛星から時刻情報を含む信号を受信する。そして、ＣＰＵ３０１は、受信した信号から時刻情報を取得する。ここで、時刻情報受信部３０８が受信した信号から得られる時刻情報が示す時刻は、一般には、情報処理装置１００の時計部１１０が計時する時刻よりも正確とされる。時刻情報受信部３０８が受信した信号から得られる時刻情報は、作業用メモリ３０２に保持される。この時刻情報の取得と、時刻情報の保持は定期的に実行される。保持された時刻情報は、外部からの要求に応じて、接続部３０４を介して送信することができる。この時刻情報は、第１の時刻情報の一例である。なお、時刻情報を含む信号は、ＧＰＳ衛星からの信号に限られるものではない。例えば、時刻情報受信部３０８は、標準電波局から送信される標準電波や、携帯電話の基地局からの信号を受信するようにしてもよい。
【手続補正７】
【補正対象書類名】明細書
【補正対象項目名】００８０
【補正方法】変更
【補正の内容】
【００８０】
ステップＳ９０１では、ＣＰＵ１０３は、自機に外部時計装置３００が接続されているか否かを判断する。ＣＰＵ１０３が、自機に外部時計装置３００が接続されていないと判断した場合、処理はステップＳ９０４に進む。図１の例では、情報処理装置４００や情報処理装置５００は外部時計装置３００と接続されていない。そのため、本処理が情報処理装置４００や情報処理装置５００において実行された場合、処理はステップＳ９０４に進むことになる。一方、ＣＰＵ１０３が、自機に外部時計装置３００が接続されていると判断した場合、処理はステップＳ９０２に進む。例えば、図１の例では、情報処理装置１００は外部時計装置３００と接続されている。そのため、本処理が情報処理装置１００において実行された場合、処理はステップＳ９０２に進むことになる。
【手続補正８】
【補正対象書類名】明細書
【補正対象項目名】００９３
【補正方法】変更
【補正の内容】
【００９３】
ステップＳ１００１では、ＣＰＵ１０３は、時刻調整機能がＯＮであるか否かを判断する。ＣＰＵ１０３が、時刻調整機能がＯＮでないと判断した場合、処理はステップＳ１００２およびステップＳ１００３に進む。ステップＳ１００２およびステップＳ１００３では、図９のステップＳ９０４およびステップＳ９０５と同様の処理が実行される。一方、ＣＰＵ１０３が、時刻調整機能がＯＮであると判断した場合、処理はステップＳ１００４に進む。
【手続補正９】
【補正対象書類名】明細書
【補正対象項目名】０１０９
【補正方法】変更
【補正の内容】
【０１０９】
＜第５の実施形態＞
上述の実施形態では、基準装置となるか否かをユーザの選択により決定していた。しかし、外部時計装置が接続されている情報処理装置の時刻情報は、外部時計装置が接続されていない情報処理装置の時刻情報よりも正確である可能性が高い。すなわち、各情報処理装置間で時刻同期を行う際には、外部時計装置が接続された情報処理装置を基準装置としたほうが、より正確な時刻情報で時刻同期を行うことができる。そこで、第５の実施形態では、外部時計装置が接続されているか否かに応じて、基準装置となるか、同期装置となるかが判断される情報処理装置について述べる。